(57)【要約】      （修正有）【課題】スーパーや小売店で販売されている無印のバナナの生産者の顔が消費者から見え、消費者が安心してバナナを購入することができるようにする。【解決手段】バナナに巻き付けて使用する帯状の紙からなり、紙の表側には該バナナを販売する販売店と提携している農園の関係者の写真が印刷され、写真には該農園が該販売店の提携農園であることがわかる提携表示が含まれ、紙の端部の裏側には粘着層が設けられ、粘着層には保護シールが被覆されているものである。ここで、紙の表側には、見本の写真、ＱＲコード、能書き、栄養分析表、又はバナナを使ったレシピが表示されていてもよいし、スポンサー広告が表示されていてもよい。また、紙の裏側には、バナナの皮を入れて捨てるための袋が付いていてもよい。【選択図】図１
0003119326.tif 000002
【実用新案登録請求の範囲】
【請求項１】
販売するバナナに巻き付けて使用する帯状の紙からなり、該紙の表側には該バナナを販売する販売店と提携している農園の関係者の写真が印刷され、該写真には該農園が該販売店の提携農園であることがわかる提携表示が含まれていることを特徴とするバナナ結束帯。
【請求項２】
前記紙の表側には見本の写真、ＱＲコード、能書き、栄養分析表、又はバナナを使ったレシピが表示されていることを特徴とする請求項１に記載のバナナ結束帯。
【請求項３】
前記紙の表側にはスポンサー広告が表示されていることを特徴とする請求項１又は２に記載のバナナ結束帯。
【請求項４】
前記紙のいずれか一方の端部の裏側には粘着層が設けられ、該粘着層には保護シールが被覆されていることを特徴とする請求項１〜３のいずれかに記載のバナナ結束帯。
【請求項５】
前記紙にはバナナの皮を入れて捨てるための袋が付いていることを特徴とする請求項１〜４のいずれかに記載のバナナ結束帯。
【考案の詳細な説明】
【技術分野】
【０００１】
本考案は、バナナを生産している農園と販売店との提携関係が消費者にわかる表示が含まれ、販売するバナナに巻き付けておくバナナ結束帯に関するものである。
【背景技術】
【０００２】
バナナはスーパーマーケット等の販売店の店頭において、５〜６本が房になった状態で売られていたり、１本だけで売られていたりしている。そして、スーパーマーケット等の販売店の店頭において売られているバナナは一般的にはプラスチックの袋に入れられ、袋には著名なブランドのシールが貼られているが、バナナにブランドシールが直接貼られている場合もある。
【０００３】
バナナは消費者の口に入るものであり、人の健康に直接関係するものなので、消費者はバナナのルーツや安全性については特に心配を持っている。バナナに著名なブランドのシールが貼られている場合はルーツや安全性もたぶん大丈夫だろうと思って購入するが、無印のものは外国のどのような農園で生産され、どのようなルートに乗って輸入され、どのような薫蒸を受けてこのスーパーマーケットにたどり着いたかわからず、何となく安全性等に不安を抱き、購入を躊躇する。
【０００４】
このような不安を解消する方法として、例えば、同じ農業協同組合ということがわかる印刷を施したビニールテープを野菜に巻いて出荷する方法が知られている。
【特許文献１】実開昭６１−１４７７５３号公報
【考案の開示】
【考案が解決しようとする課題】
【０００５】
解決しようとする一つの問題点は、おいしくて安全で安いバナナを生産しても、日本で知られていない農園のバナナの場合は、著名なブランドの商品でないが故に、日本では事実上販売し難い点である。
【０００６】
また、解決しようとする別の問題点は、日本で知られていない農園のバナナの場合、おいしくて安全で安いバナナでも、安全性等に対する不安から、消費者は著名なブランドの値段の高いバナナを買わざるを得ない点である。
【０００７】
また、解決しようとする別の問題点は、日本で知られていない農園のバナナの場合、おいしくて安全で安い利幅の大きいバナナでも、無印ということで日本では売れ難いので、卸元や販売店は利幅の少ない著名なブランドのバナナを売るしかなく、儲からない点である。
【０００８】
また、プラスチック製袋は周知の通り石油製品であるため、環境問題やリサイクルといった点で問題視されている。前記したとおり、小売店では５〜６本を房とした小売りや、１本ずつのばら売りが主流であるため、必要とされているプラスチック製袋の量は膨大であり、その総てが不燃ゴミになることは、資源・環境保護の観点からも非常に問題である。更に、食後のバナナの皮は燃焼ゴミで、プラスチック製袋は不燃ゴミであるが、一緒になって販売されているため、分別されずに一緒に廃棄されてしまうことが多いという問題もある。
【課題を解決するための手段】
【０００９】
本考案は、消費者のニーズに合ったおいしくて安全で安いバナナを提供するため、生産者である農園をそのバナナとともに公開して、生産者に対する消費者の信頼感を抱かせることを最も主要な特徴とする。
【００１０】
すなわち、本考案のバナナ結束帯は、販売するバナナに巻き付けて使用する帯状の紙からなり、該紙の表側には該バナナを販売する販売店と提携している農園の関係者の写真が印刷され、該写真には該農園が該販売店の提携農園であることがわかる提携表示が含まれているものである。
【００１１】
ここで、販売店の提携農園であることがわかる提携表示とは、現地農園と販売店との提携関係が消費者から見てわかるような表示をいい、例えば、農園関係者の前に広げられた横断幕に「株式会社○○○○契約農園□□□□」のような表示が農園関係者とともに写されているものをいう。
【００１２】
また、前記紙の表側には、更に見本の写真、ＱＲコード、能書き、栄養分析表、又はバナナを使ったレシピが表示されていてもよいし、スポンサー広告が表示されていてもよい。
【００１３】
また、前記紙の裏側には、バナナの皮を入れて捨てるための袋が付いていてもよい。また、前記紙のいずれか一方の端部の裏側には粘着層が設けられ、該粘着層には保護シールが被覆されていてもよい。
【考案の効果】
【００１４】
本考案のバナナ結束帯は、そのバナナに関する種々の情報（産地名、農園名、品種、成分、レシピ等）を表示するので、そのバナナに関する種々の情報を消費者に直接知らせることができ、従って、消費者はこの情報に基づいてそのバナナを購入するか否かを適切に判断することができるという利点がある。
【００１５】
また、本考案のバナナ結束帯は、農園の名前がそのバナナとの関係で公開されるので、農園がおいしくて安全なバナナを提供し続ける限り、その農園に対する消費者の信頼が蓄積され、消費者から長期に亘ってバナナを購入してもらうことができるという利点がある。
【００１６】
また、本考案のバナナ結束帯は、農園の名前がそのバナナとの関係で公開されるので、消費者がそのバナナをおいしいと感じた場合、消費者は販売店を介してそのバナナを生産している農園からそのバナナを引き続き入手することができるという利点がある。
【００１７】
また、本考案のバナナ結束帯は、農園の名前がそのバナナとの関係で公開されるので、品質の悪いバナナを出した場合はその農園の名前が毀損されるとともにその農園のバナナから消費者が離れることになるので、農園は注意して品質の良いバナナを出そうと努力し、従って、販売店は品質の良いバナナが販売でき、消費者は品質の良いバナナが購入できるようになるという利点がある。
【００１８】
また、本考案のバナナ結束帯は、農園の名前がそのバナナとの関係で公開されるので、消費者や販売店はバナナについての要望をその農園に直接的に伝えることができ、その農園は消費者や販売店からバナナについての要望を直接的に聞いて学ぶことができ、従って、販売店は自己のニーズに合ったバナナを販売することができ、消費者は自己のニーズに合ったバナナを入手することができるという利点がある。
【００１９】
そして、本考案のバナナ結束帯は、特定の農園を販売店や消費者のニーズに合ったように育てることができるので、販売店はバナナを販売し易くなり、消費者は信頼できる農園で生産されたバナナを購入し、安心してバナナを食することができるという利点がある。
【００２０】
また、本考案のバナナ結束帯は、紙でできているので、環境中に廃棄された場合、腐って土になり、従って、環境を汚染しないという利点がある。
【考案を実施するための最良の形態】
【００２１】
消費者のニーズに合ったおいしくて安全で安いバナナを提供するという目的を、生産者である農園の名前をそのバナナとともに公開するという簡単な方法で、余分なコストをかけることなく実現した。
【実施例１】
【００２２】
図１は本考案のバナナ結束帯の一実施例の説明図である。同図において、１０はバナナ結束帯であり、バナナ結束帯１０は紙でできた細長いテープ状のものからなる。結束帯１０のいずれか一方の端部の裏側には粘着剤が塗られ、粘着剤の上には保護シールが貼られている。
【００２３】
バナナ結束帯１０の表面には提携している農園の関係者の集合写真１２、バナナの特長をアピールする言葉又は文章１４、商品管理のためのＱＲコード１６が記載されている。集合写真１２には農園と販売店との提携関係がわかる表示、例えば、農園関係者の前に広げられた横断幕に「株式会社○○○○契約農園□□□□」のような表示が農園関係者とともに写されている。
【００２４】
図２は本考案のバナナ結束帯の一実施例の使用状態を示す斜視図である。上述したバナナ結束帯１０は、図２に示すように、バナナ１８に巻き付けた状態で取り付けられ、販売される。
【００２５】
なお、バナナ結束帯１０の表側には上述した表示以外に、図３に示すように、そのバナナ１８の成分表２０を表示しても良いし、図４に示すように、バナナを使用した料理のレシピ２２を表示しても良い。また、バナナを使用した料理のレシピを載せた小さな本を付けても良い。
【００２６】
また、バナナ結束帯１０の基本形状は細長いテープ状のものであるが、キャラクターやマークを型取った形状のものでもよい。また、バナナ結束帯１０は紙以外にプラスチックテープで形成しても良い。ただ、環境保全という観点から考えると環境中で腐って土に還る紙が好ましい。
【００２７】
また、バナナ結束帯１０の裏側にはバナナを食べた後、バナナの皮を入れて捨てるための袋を付けても良い。袋にバナナの皮を入れた場合、バナナの皮からは汁が漏れ出すおそれが有るので、袋は防水加工を施してあるものが好ましい。
【００２８】
また、バナナ結束帯１０の表側には上述した表示以外に、例えば健康飲料等の広告を入れ、バナナ結束帯を広告媒体として使用しても良い。バナナ結束帯を広告媒体として使用した場合はバナナの販売価格を安くすることができ、消費者は品質の良いバナナを安く購入することができる。
【００２９】
なお、本考案の名称はバナナ結束帯となって、複数本のバナナを前提にした表現になっているが、このバナナ結束帯を巻き付けるバナナは複数本の場合に限らず、１本の場合でもよい。
【００３０】
次に、図５を参照しながら、本考案のバナナ結束帯を使用したバナナ取引の流れの一例について説明する。
【００３１】
まず、卸元はバナナの仕入れ先の現地農園の情報及びその農園産のバナナに関する情報等を収集し、これらを見本のバナナとともにスーパーマーケット等の販売店に提示し、どの農園と提携するか判断して貰う。場合によっては販売店の担当者に現地農園に行って実際の農園を見て貰う。
【００３２】
次に、販売店は上記諸情報を判断材料として提携農園を決め、その農園と販売店との間で提携条件を決め、販売店と現地農園との間で業務提携をする。この場合、卸元が間に入って提携手続を進めても良い。
【００３３】
次に、販売店が提携を希望した現地農園とその販売店との提携関係が視覚的にわかるように販売店名の入った横断幕を作成する。横断幕は日本で作成して現地農園に送っても良いし、現地農園で作成しても良い。横断幕を現地農園で作成する場合は、横断幕を作成するためのデータを卸元で作り、このデータを現地農園に送る。
【００３４】
次に、この横断幕を前にした農園関係者の集合写真を撮影し、集合写真及び前記情報を印刷したバナナ結束帯を作成する。バナナ結束帯は日本で印刷して作成してもよいし、農園の有る現地で印刷して作成してもよい。
【００３５】
次に、バナナにこのバナナ結束帯を巻き付ける。バナナの結束帯を巻き付ける場所は日本でも良いし、現地農園でも良い。現地農園で巻き付ける場合は、予めバナナ結束帯を日本から送っておくか、現地で印刷して作成しておく。
【００３６】
次に、卸元はバナナ結束帯を巻き付けたバナナを販売店に卸す。販売店はこのバナナ結束帯を巻き付けたバナナを販売する。消費者はバナナ結束帯の記載を見てバナナを購入するか否かを判断し、良い印象を持った場合はそのバナナを購入する。
【００３７】
消費者はそのバナナについて意見が有る場合はその意見を販売店に伝え、販売店はこの意見を卸元を通じて現地農園に伝えるか、直接現地農園に伝える。農園はこの意見を参考にしてバナナの生産方法や梱包・輸送方法の改良に努める。
【図面の簡単な説明】
【００３８】
【図１】本考案のバナナ結束帯の一実施例の説明図
【図２】本考案のバナナ結束帯の一実施例の使用状態を示す斜視図である。
【図３】本考案のバナナ結束帯の他の実施例の説明図
【図４】本考案のバナナ結束帯の更に他の実施例の説明図
【図５】本考案のバナナ結束帯を使用したバナナの取引関係を示すフローチャートである。
【符号の説明】
【００３９】
１０  バナナ結束帯
１２  集合写真
１４  文章
１６  ＱＲコード
１８  バナナ
２０  成分表
２２  レシピ
【図２】
0003119326.tif 000003
【図５】
0003119326.tif 000004
【図１】
0003119326.tif 000005
【図３】
0003119326.tif 000006
【図４】
0003119326.tif 000007